(57)【要約】      （修正有）【課題】蓄電装置の被水を適切に防止または抑制し、かつシートクッション固定用の係合爪を支障のない状態に設けることが可能な車両の蓄電装置搭載構造を提供する。【解決手段】車両用シートＳのシートクッション３１が載せられる台座部４０と、その下方スペースに配置された蓄電装置２と、を備えている、車両の蓄電装置搭載構造Ａであって、台座部４０の上側に流れ落ちた液体、または前記台座部４０の上側に向けて流れてくる液体を、蓄電装置２に向かわせない箇所に導くことが可能な上面開口状の排水用凹溝５２を、さらに備えており、シートクッション固定用の係合爪４８は、排水用凹溝５２の内側に位置している。【選択図】図１
2019112015.tif 000002
【特許請求の範囲】
【請求項１】
車両用シートのシートクッションが載せられ、かつ前記シートクッションの固定用の係合爪が設けられているシート用の台座部と、
この台座部の下方スペースに配置された蓄電装置と、
を備えている、車両の蓄電装置搭載構造であって、
前記台座部の上側に流れ落ちた液体、または前記台座部の上側に向けて流れてくる液体を、前記蓄電装置に向かわせない箇所に導くことが可能な上面開口状の排水用凹溝を、さらに備えており、
前記係合爪は、前記排水用凹溝の内側に位置していることを特徴とする、車両の蓄電装置搭載構造。
【発明の詳細な説明】
【技術分野】
【０００１】
本発明は、ハイブリッド車や電気自動車などの車両に、リチウムイオン二次電池やニッケル水素二次電池などのバッテリ類やその他の蓄電装置を搭載する場合に好適な車両の蓄電装置搭載構造に関する。
【背景技術】
【０００２】
車両の蓄電装置搭載構造の具体例として、特許文献１，２に記載の構造がある。
これらの文献に記載の構造においては、車室フロア部上に車両用シートが設置されており、かつこの車両用シートのシートクッションを支持する台座部の下方スペースに、バッテリなどの蓄電装置が配設されている。このような構成によれば、車両用シートの設置箇所を有効に利用したかたちで、蓄電装置をスペース効率よく車室内に配置することが可能である。
また、特許文献２においては、前記台座部上に防水カーペットが敷設され、かつこの防水カーペットによって蓄電装置の上方が覆われている。このような構成によれば、シートクッション上に水などの液体を零した際に、この水が蓄電装置上に流れ落ちることが防止または抑制され、蓄電装置の保護が図られる。
【０００３】
しかしながら、前記従来技術においては、次に述べるように、未だ改善すべき余地がある。
【０００４】
第１に、防水カーペットは、この防水カーペット上に流れてきた液体の量が少ない場合には、この液体が蓄電装置に掛からないようにし得るものの、台座部上および防水カーペット上に多量の液体が流れてきた場合には、この液体が蓄電装置に向けて流れていくことを適切に防止することができず、蓄電装置に液体が掛かってしまう虞がある。たとえば、容量が１８Ｌ程度の比較的大きなサイズのクーラボックスを車室内に積み込み、かつこのクーラボックスを乗員が誤って倒す場合がある。この場合、多量の液体が台座部上および防水カーペット上に一斉に零れると、前記液体が台座部あるいは防水カーペットの縁部や裏面などを伝って蓄電装置に向けて流れてしまう虞がある。また、防水カーペットには、シートベルトのアンカ、あるいはインナベルトを通すための開口部が設けられるのが通例であるが、この開口部に前記液体が多量に流れ込むことにより、この液体が蓄電装置に向けて流れる場合もある。蓄電装置の保護を徹底する観点からすると、前記したような態様で蓄電装置が液体に触れること（被水）を適切に防止することが望まれる。
第２に、車両用シートのシートクッションをいわゆるダイブダウン方式とする場合、シートクッションを支持する台座部には、シートクッションを台座部上に配置させた際にシートクッションを固定させるための係合爪が突設されるのが通例である。ここで、係合爪が、台座部の上面よりも上方に大きく突出した状態で設けられていると、台座部の上面のフラット性が損なわれるため、シートクッションのダイブダウン時において、シートバックを台座部上に倒す方式（ダブルフォールド方式）を採用する場合に、シートバックと係合爪とが干渉し、シートバックをフラットな状態に倒すのに支障を生じるような不具合がある。また、シートクッションのダイブダウン時に、係合爪が台座部上に突出していると、乗員の衣服などが係合爪に引っ掛かりを生じるような虞もある。したがって、このようなことも適切に防止することが望まれる。
【先行技術文献】
【特許文献】
【０００５】
【特許文献１】特開２０１１−１２６４３９号公報
【特許文献２】特開２０１０−６４６８７号公報
【発明の概要】
【発明が解決しようとする課題】
【０００６】
本発明は、前記したような事情のもとで考え出されたものであり、蓄電装置の被水を適切に防止または抑制し得るとともに、車両用シートのシートクッション固定用の係合爪を支障のない状態に設けることが可能な車両の蓄電装置搭載構造を提供することを、その課題としている。
【課題を解決するための手段】
【０００７】
上記の課題を解決するため、本発明では、次の技術的手段を講じている。
【０００８】
本発明により提供される車両の蓄電装置搭載構造は、車両用シートのシートクッションが載せられ、かつ前記シートクッションの固定用の係合爪が設けられているシート用の台座部と、この台座部の下方スペースに配置された蓄電装置と、を備えている、車両の蓄電装置搭載構造であって、前記台座部の上側に流れ落ちた液体、または前記台座部の上側に向けて流れてくる液体を、前記蓄電装置に向かわせない箇所に導くことが可能な上面開口状の排水用凹溝を、さらに備えており、前記係合爪は、前記排水用凹溝の内側に位置していることを特徴としている。
【０００９】
このような構成によれば、次のような効果が得られる。
第１に、車室内で液体を零し、この液体が台座部の上側に流れ落ちた場合、あるいは台座部の上側に向けて流れてくる場合には、この液体の少なくとも一部を、排水用凹溝に流れ込ませてから蓄電装置に向かわせない箇所に導くことが可能である。したがって、台座部上に多くの液体が一斉に零れるような事態を生じた場合であっても、台座部上に多くの液体が溜まらないようにし、たとえば台座部上の液体が台座部の縁部や裏面を伝うなどして蓄電装置側に向かうことを防止または抑制することが可能となる。その結果、本発明によれば、従来技術と比較して、蓄電装置の被水防止性能を優れたものとし、蓄電装置の保護を適切に図ることが可能である。
第２に、シートクッション固定用の係合爪は、排水用凹溝の内側に位置しているため、この係合爪が台座部の上面上などに大きく突出しないようにすることができる。したがって、たとえばシートクッションをダイブダウンさせてから、シートバックを台座部上に倒す際に、係合爪がその支障になるといった不具合を解消することができる。また、係合爪に乗員の衣服などが引っ掛かるといったことも生じ難くすることが可能である。
【００１０】
本発明のその他の特徴および利点は、添付図面を参照して以下に行なう発明の実施の形態の説明から、より明らかになるであろう。
【図面の簡単な説明】
【００１１】
【図１】本発明に係る車両の蓄電装置搭載構造の一例を示す一部破断要部概略斜視図である。
【図２】図１の一部破断要部概略分解斜視図である。
【図３】図１のIII−III断面図である。
【図４】図１のIV−IV断面図である。
【図５】（ａ）は、図１においてシートクッションを台座部上に載置した状態での図１のＶ−Ｖ断面図（図３および図４とは異なる部位の断面）であり、（ｂ）は、（ａ）の要部拡大断面図であり、（ｃ）は、（ｂ）の作用説明図である。
【発明を実施するための形態】
【００１２】
以下、本発明の好ましい実施の形態について、図面を参照して具体的に説明する。
図面において、矢印Ｆｒは車両前方を示し、矢印Ｗは車幅方向を示し、矢印Ｕｐは車両
高さ方向の上方を示す。
【００１３】
図１に示す車両の蓄電装置搭載構造Ａは、車室フロア部１、車両用シートＳ、蓄電装置２、防水カーペット５、台座部４０を有する櫓状構造体４、および左右一対のフロアサイド隆起部１１を備えている。車両用シートＳは、後述するように、ダブルフォールド方式である。
【００１４】
本実施形態の蓄電装置搭載構造Ａが適用される車両は、たとえばハイブリッド車、または電気自動車である。蓄電装置２は、たとえばリチウムイオン二次電池、あるいはニッケル水素二次電池などの車両駆動用のバッテリである。
【００１５】
車室フロア部１は、フロントフロア部１ａ、その後部に繋がった後上がり傾斜状の起立壁部１ｃ、およびこの起立壁部１ｃの後部上端に繋がったリヤフロア部１ｂを有している（図３も参照）。蓄電装置２は、車両用シートＳのシートクッション３１および台座部４０の下方スペースに配された状態でフロントフロア部１ａ上に固定されている。
【００１６】
櫓状構造体４は、図２によく表われているように、車両用シートＳのシートバック３０の支持、およびシートクッション３１を載置支持するためのシートクッションフレームとしての役割を果たすことに加え、蓄電装置２を保護する構造体としての役割も果たすものとされている。
【００１７】
より具体的には、櫓状構造体４は、台座部４０に加え、支持脚部４２、ブラケット部４３、およびシートクッション固定用の係合爪４８などを備えている。
台座部４０は、たとえばパイプ材を用いて形成された中空枠状の上枠部４０ａと、この上枠部４０ａの内側開口領域を塞ぐように上枠部４０ａに接合された天板パネル４０ｂ（シートパン）とを具備している。支持脚部４２は、台座部４０の前部を支持するための部位であり、その上部は上枠部４０ａに溶接され、かつその下部は、フロントフロア部１ａのうち、蓄電装置２の配置箇所の車両前方側に設けられたフロアクロス部１３にボルト止めなどの手段を用いて固定されている。ブラケット部４３は、台座部４０の後部を支持するための部位であり、たとえば上枠部４０ａの後部に溶接されており、かつ車室フロア部１の起立壁部１ｃの上下高さ方向の途中箇所に設けられた棚状部１０に、ボルト止めなどの手段を用いて固定されている。シートクッション固定用の係合爪４８については、後述する。
【００１８】
一対のフロアサイド隆起部１１は、フロントフロア部１ａのうち、蓄電装置２の配置領域の車幅方向の両外方側に位置し、かつ蓄電装置２の配置領域よりも高さが高くされた部位である。各フロアサイド隆起部１１は、たとえば車両の車幅方向両側部に位置するサイドメンバ１２を用いて構成されている。各フロアサイド隆起部１１の上面部には、傾斜面１１ａが設けられている。この傾斜面１１ａは、車幅方向外方ほど高さが低い外下がり状の外側向きの傾斜面であり、起立壁部１ｃに後端が繋がり、かつ車両前後方向に延びている。蓄電装置２は、車幅方向において、一対のフロアサイド隆起部１１の相互間に挟まれ、かつ車両前後方向においてはフロアクロス部１３と起立壁部１ｃとの相互間に位置している。図面では、蓄電装置２の周囲の一部が開放されて蓄電装置２の一部が見える状態に示されているが、実際には、蓄電装置２の周囲には、蓄電装置２を覆い隠す部材が適宜設けられる。
【００１９】
防水カーペット５は、たとえば表面側が不織布層とされ、かつ裏面側が樹脂層とされた積層構造であり、不織布層自体は可撓性に富むが、樹脂層は可撓性が少ない比較的硬質な層である。前記樹脂層が防水カーペット５に具備されていることにより、防水カーペット５の各所を所定の形状に維持することが可能な保形性が確保されている。図２において、
防水カーペット５は、車両前方側に位置する主要部５ａと、その後部に繋がった第１および第２の補助部５ｂ，５ｃと、左右一対の排水用凹溝５２とを備えている。
【００２０】
防水カーペット５の主要部５ａは、台座部４０上に載置され、かつシートクッション３１の下敷きとされる部位である。この主要部５ａには、不図示のシートベルトのアンカ、またはインナベルトを通すための一対の開口部５０が設けられている。好ましくは、この開口部５０は、多くの水が通過しないように適当な部材で塞がれるが、この開口部５０を完全に塞ぐことは難しく、主要部５ａ上に液体が流れてきた際に、この液体が開口部５０に入り込むことを防止することが望まれる。第１および第２の補助部５ｂ，５ｃは、起立壁部１ｃの前面、およびリヤフロア部１ｂの上面にそれぞれ重ねられて固定される。
【００２１】
左右一対の排水用凹溝５２は、防水カーペット５上（台座部４０上を含む）に流れ落ちてきた液体が蓄電装置２に掛からないように、この液体を防水カーペット５上から傾斜面１１ａ上に排水するための部位であり、上向き開口状である。図４によく表われているように、排水用凹溝５２は、防水カーペット５の一部を、その下面側が断面三角形状、あるいは矩形状などの下向き凸部５２ｂとなるように段押し状に形成することにより設けられており、台座部４０と起立壁部１ｃとの相互間の隙間Ｃに位置するようにして、車幅方向に延びている。このような構成によれば、下向き凸部５２ｂが台座部４０や起立壁部１ｃに干渉しないようにし、排水用凹溝５２を適切に設けることが可能であり、排水用凹溝５２の底部の高さ位置を、台座部４０の上面よりも低い高さ位置に設定することが可能である。
【００２２】
好ましくは、この排水用凹溝５２は、車幅方向外方に進むほど幅広となり、また深さが深くなるように形成されている。排水用凹溝５２の外端部（終端）は、フロアサイド隆起部１１の傾斜面１１ａの上方に位置し、排水用凹溝５２に流れ込んだ液体は、傾斜面１１ａ上に流れ落ちるように構成されている。
【００２３】
シートクッション固定用の係合爪４８は、台座部４０の後部に、たとえば左右一対で設けられている。ただし、各係合爪４８は、排水用凹溝５２の内側に位置している。より具体的には、図５（ｂ）によく表われているように、防水カーペット５の排水用凹溝５２の側壁部には、孔部５９が設けられており、係合爪４８は、この孔部５９を挿通することにより、排水用凹溝５２の内側に露出している。
【００２４】
車両用シートＳは、既述したように、ダブルフォールド方式であり、シートクッション３１については、図５（ａ）の仮想線で示すように、台座部４０上からその車両前方側にダイブダウンさせることが可能である。この状態においては、シートバック３０を台座部４０上に倒すことが可能である。このことにより、リヤフロア部１ｂ上の荷室スペースを広くし、またシートバック３０をリヤフロア部１ｂに対して略フラットな状態に設定することもできる。シートクッション３１をダイブダウンさせた際には、防水カーペット５が台座部４０の上面やその周辺部を覆っている状態にあるため、これらの部分の見栄えをよくすることも可能である。
【００２５】
係合爪４８は、本実施形態においては、車両の後突時などにおいてシートクッション３１が不用意に跳ね上がることを阻止するための部位である。図５（ｂ），（ｃ）に示すように、シートクッション３１には、後突時などにおいて係合爪４８との係合が図られる被係合部３５が設けられている。
【００２６】
図３および図４に示すように、好ましくは、シートバック３０の後面部には、リヤフロア部１ｂ上に敷設されたリヤ側防水カーペット８の前部が接着されている（図３および図４以外の図面では省略）。このリヤ側防水カーペット８の車幅方向の幅は、シートバック
３０の同方向の幅と同様であり、リヤフロア部１ｂ上に零れた水がそのままシートバック３０の下方に向けて流れることを阻止する役割を果たす。ただし、後述するように、リヤフロア部１ｂ上に零れた水は、リヤ側防水カーペット８を迂回して車両前方側に流れていく。
【００２７】
次に、前記した車両の蓄電装置搭載構造Ａの作用について説明する。
【００２８】
車室内において乗員が水を零す場合の一態様としては、たとえば比較的サイズの大きいクーラボックスなどの容器が車室内に持ち込まれて、かつこの容器が倒されることにより、防水カーペット５の主要部５ａ上（台座部４０の上側）に多くの水が一斉に零れる場合があり得る。防水カーペット５の主要部５ａ上にシートクッション３１が載せられている場合において、このシートクッション３１上に水が零された場合であっても、この水は、シートクッション３１の下側に廻り込み、防水カーペット５上に流れてくる。
【００２９】
前記した事態が発生した場合、多くの水を排水用凹溝５２に流れ込ませることができる。排水用凹溝５２に流れ込んだ水は、その外端部側に導かれた後に、フロアサイド隆起部１１の傾斜面１１ａ上に流れ落ちる。このため、前記水は、フロアサイド隆起部１１の車幅方向外方側に流れていくこととなり、蓄電装置２側に向けて流れることはない。一方、前記したように、排水用凹溝５２を利用して台座部４０上および防水カーペット５上からその外部に排水を行なわせれば、たとえばシートベルトのアンカまたはインナベルトを通すための開口部５０に多くの水が流れ込んだり、あるいは台座部４０や防水カーペット５の縁部から下面を伝って多くの水が蓄電装置２に向かうといったことも適切に防止することが可能である。
【００３０】
一方、車室内において乗員が水を零す場合の他の態様としては、シートバック３０よりも車両後方側においてリヤフロア部１ｂ上に多くの水を零し、この水が車両前方側に流れる場合もあり得る。この場合、リヤ側防水カーペット８を迂回した水の一部は、シートバック３０の下方隙間などを通過して、防水カーペット５の第２の補助部５ｃ、および第１の補助部５ｂ上を順次流れてから主要部５ａ上（台座部４０の上側）に到達する。また、他の一部の水は、シートバック３０の車幅方向外方側を通過するように流れて、起立壁部１ｃからフロアサイド隆起部１１の上面部に到達する。
【００３１】
これに対し、防水カーペット５の主要部５ａ（台座部４０の上側）に向けて流れてくる水については、先に述べた場合と同様に、排水用凹溝５２を利用して傾斜面１１ａ上に流れ落とすことができる。一方、起立壁部１ｃからフロアサイド隆起部１１の上面部に到達した水については、傾斜面１１ａ上に沿ってそのままフロアサイド隆起部１１の車幅方向外方側に流れさせることができる。したがって、蓄電装置２に向けて水が流れることは、適切に防止または抑制される。
このように、本実施形態においては、車両用シートＳのシートクッション３１上、または防水カーペット５の主要部５ａ上において多くの水が零れた場合のみならず、リヤフロア部１ｂ上から車両前方側に多くの水が流れる場合においても、蓄電装置２が被水することを適切に防止することが可能である。
【００３２】
シートクッション固定用の係合爪４８は、既述したように、排水用凹溝５２の内側に位置しており、この係合爪４８が台座部４０の上面上などに大きく突出しないものとなっている。このため、シートクッション３１をダイブダウンさせてから、シートバック３０を台座部上に倒す際に、係合爪４８がその支障になるといった不具合を解消することができる。係合爪４８に乗員の衣服などが引っ掛かりを生じるといった虞も少なくすることが可能である。
【００３３】
本発明は、上述した実施形態の内容に限定されない。本発明に係る車両の蓄電装置搭載構造の各部の具体的な構成は、本発明の意図する範囲内において種々に設計変更自在である。
【００３４】
上述の実施形態においては、排水用凹溝５２が防水カーペット５に設けられているが、これに限定されない。排水用凹溝は、防水カーペット５とは構成が相違する蓄電装置カバー部材（たとえば、単なる樹脂製シート、樹脂製プレート、金属板など）に設けられていてもよい。さらに、たとえば台座部４０と起立壁部１ｃとの隙間Ｃに樋状の部材を設け、かつこの樋状の部材の上面開口状の凹部を、本発明が意図する排水用凹溝とすることもできる。本発明における排水用凹溝は、要は、台座部の上側に流れ落ちた液体、または台座部の上側に向けて流れてくる液体を、蓄電装置に向かわせない箇所に導くことが可能な上面開口状の凹溝として設けられていればよい。
また、上述の実施形態においては、排水用凹溝５２からフロアサイド隆起部１１の傾斜面１１ａ上に液体が流れ落ちる構成とされているが、本発明はこれに限定されず、傾斜面１１ａ上以外の箇所に液体が流れるようにしてもよい。排水用凹溝は、終端側（外端部側）ほど幅が広くなり、また深さが深くなる形態とすることが好ましいものの、これに限定されず、たとえば幅や深さが各所略同一であってもよい。排水用凹溝は、少なくとも１つ設けられていればよく、その具体的な数や位置も限定されない。
【００３５】
蓄電装置は、車両用シートのシートクッションが載せられる台座部の下方スペースに設けられていればよく、その具体的な設け方は限定されない。蓄電装置の具体的な種類や数なども限定されず、本発明でいう蓄電装置には、キャパシタも含まれる。台座部やシートクッション固定用の係合爪などの具体的な構成（形状、サイズ、材質など）も限定されない。
【符号の説明】
【００３６】
Ａ  車両の蓄電装置搭載構造
Ｓ  車両用シート
１  車室フロア部
２  蓄電装置
４０  台座部
４８  係合爪
５  防水カーペット
５２  排水用凹溝
【図１】
2019112015.tif 000003
【図２】
2019112015.tif 000004
【図３】
2019112015.tif 000005
【図４】
2019112015.tif 000006
【図５】
2019112015.tif 000007